(57)【要約】【課題】マグネットが設けられたカバーを携帯端末に使用しながら、入力ペンを携帯端末と共に保持する。【解決手段】本発明は、マグネットが設けられているカバーと、カバーが着脱自在に設けられる携帯端末と、一方側にペンポケットが設けられて他方側に厚部が設けられたペンホルダーとを具備してなる装置であって、マグネットによってカバーが携帯端末に閉蓋された際に、ペンホルダーの厚部がカバーと携帯端末との間に挟持できるよう構成されてなる装置である。【選択図】図１
2020016916.tif 000002
【特許請求の範囲】
【請求項１】
マグネットが設けられているカバーと、前記カバーが着脱自在に設けられる携帯端末と、一方側にペンポケットが設けられて他方側に厚部が設けられたペンホルダーとを具備してなる装置であって、
前記マグネットによって前記カバーが前記携帯端末に閉蓋された際に、前記ペンホルダーの前記厚部が前記カバーと前記携帯端末との間に挟持できるよう構成されてなる
装置。
【請求項２】
前記厚部の厚みは、前記カバーのマグネットが前記携帯端末に磁着された場合に出来ている隙間より大きい
請求項１に記載の装置。
【請求項３】
前記厚部は磁性体又はマグネットであり、
前記カバーのマグネットにより磁化された前記携帯端末の磁性体又は前記携帯端末に設けられたマグネットに前記厚部が磁着される
請求項１又は請求項２に記載の装置。
【請求項４】
マグネットを具備するカバーが着脱自在に設けられる携帯端末用のペンホルダーであって、
一方側にペンポケットが設けられて他方側に厚部が設けられ、
前記マグネットによって前記カバーが前記携帯端末に閉蓋された際に、前記厚部が前記カバーと前記携帯端末との間に挟持できるよう構成されてなる
ペンホルダー。
【発明の詳細な説明】
【技術分野】
【０００１】
本発明は装置及びペンホルダーに関する。
【背景技術】
【０００２】
スマートフォン、タブレット端末等のようなタッチパネルを具備する携帯端末の入力手段の一つにペン型入力装置（以下、入力ペンと呼ぶ）がある。入力ペンは携帯端末と共に使用するものであるため、携帯端末と共に持ち歩くことが好ましい。
【０００３】
例えば、特許文献１には、タッチペン保管部を備える電子端末のカバーケースが開示されている。
【先行技術文献】
【特許文献】
【０００４】
【特許文献１】特開２０１３−９３００２号公報
【発明の概要】
【発明が解決しようとする課題】
【０００５】
携帯端末のディスプレイの画面を保護するためのカバーが一般に使用されている。カバーには複数種類あるが、その一つとして、例えば図５に示すように、マグネットがカバーのヒンジ部分に設けられているものがある。前記マグネットが設けられたカバーは、図６に示すように、マグネットを携帯端末の側面部に磁着させて、カバーと携帯端末とを連結する。前記マグネットが設けられているカバーはデザイン性及び機能性が高いため人気がある。
【０００６】
しかし、特許文献１のようなカバーケースを携帯端末に用いた場合、携帯端末の側面部が覆われてしまうため、前記マグネットが設けられたカバーを併用することはできない。
【０００７】
本発明が解決しようとする課題は、マグネットが設けられたカバーを携帯端末に使用しながら、入力ペンを携帯端末と共に保持することである。
【課題を解決するための手段】
【０００８】
本願の請求項１に係る発明は、マグネットが設けられているカバーと、前記カバーが着脱自在に設けられる携帯端末と、一方側にペンポケットが設けられて他方側に厚部が設けられたペンホルダーとを具備してなる装置であって、前記マグネットによって前記カバーが前記携帯端末に閉蓋された際に、前記ペンホルダーの前記厚部が前記カバーと前記携帯端末との間に挟持できるよう構成されてなる装置である。
【０００９】
本願の請求項２に係る発明は、前記厚部の厚みは、前記カバーのマグネットが前記携帯端末に磁着された場合に出来ている隙間より大きい。
【００１０】
本願の請求項３に係る発明は、前記厚部は磁性体又はマグネットであり、前記カバーのマグネットにより磁化された前記携帯端末の磁性体又は前記携帯端末に設けられたマグネットに前記厚部が磁着される。
【００１１】
本願の請求項４に係る発明は、マグネットを具備するカバーが着脱自在に設けられる携帯端末用のペンホルダーであって、一方側にペンポケットが設けられて他方側に厚部が設けられ、前記マグネットによって前記カバーが前記携帯端末に閉蓋された際に、前記厚部が前記カバーと前記携帯端末との間に挟持できるよう構成されてなるペンホルダーである。
【図面の簡単な説明】
【００１２】
【図１】本発明の実施形態の斜視図。
【図２】本発明の実施形態の斜視図。
【図３】ペンホルダー３０の斜視図。
【図４】ペンホルダー３０の装着方法を説明する図。
【図５】携帯端末のカバーを例示する図。
【図６】カバーと携帯端末との連結方法を説明する図。
【発明を実施するための形態】
【００１３】
本発明の実施形態に係る装置を説明する。
【００１４】
図１、図２は、本発明の実施形態の装置１の斜視図である。
装置１は、カバー１０と携帯端末２０とペンホルダー３０とを具備する。前記カバー１０は一端側にマグネット１１を具備する。前記カバー１０は携帯端末２０のディスプレイの画面２１を覆う。この状態は、所謂、閉蓋状態である。閉蓋状態（図１参照）ではディスプレイの画面２１が前記カバー１０で保護される。開蓋状態が図２に示される。前記ペンホルダー３０はペンポケット３１と厚部３２とを具備する。前記ペンポケット３１には入力ペン４０が挿入（保持）される。
【００１５】
カバー１０は、マグネット１１がカバー１０のヒンジ１２の端に設けられている。マグネット１１は携帯端末２０の側面の磁性体又はマグネットに磁着する。これによって、カバー１０と携帯端末２０とが連結する。
【００１６】
携帯端末２０は情報処理装置である。例えば、スマートフォン、タブレット端末である。携帯端末２０の少なくとも一つの側面には磁性体又はマグネットが設けられている。携帯端末２０の画面２１の周囲の縁２２の少なくとも一辺には磁性体が設けられている。磁性体は、マグネットにより磁化される物質である。
【００１７】
図３は、ペンホルダー３０の斜視図である。
ペンホルダー３０の一端側にはペンポケット３１が設けられる。ペンポケット３１にはペン型入力装置（入力ペン）４０が収納される。ペンホルダー３０の他方の端側には、厚部３２が設けられる。カバー１０が携帯端末２０のディスプレイの画面２１を覆った（閉蓋した）際に、厚部３２はカバー１０と携帯端末２０との間に挟持される。
【００１８】
ペンホルダー３０はシート部材から構成される。シート部材は、例えば、布、皮、紙、合成樹脂等が挙げられる。
【００１９】
厚部３２の厚みは、カバー１０のマグネット１１が携帯端末２０に磁着した時に出来る隙間より大きい。
【００２０】
厚部３２は、例えば、シートの端に物体を縫い込むことにより形成されてもよい。物体は、例えば棒状である。厚部３２は、シートの端に物体を貼り付けることにより形成されてもよい。前記物体は、例えば、木片、樹脂、金属、磁化され得る金属、マグネット等が挙げられる。厚部３２は、端側のシートを丸めたり折り込んだりして形成されてもよい。厚部３２は、カバー１０と携帯端末２０との連結部分の隙間よりも厚く形成されていればよい。
【００２１】
ペンホルダー３０が携帯端末２０に装着される方法が説明される。
カバー１０のマグネット１１と携帯端末２０の側面との間に、ペンホルダー３０のペンポケット３１と厚部３２との中間部を挟んだ状態で、カバー１０と携帯端末２０とを対向・接近させる（図４参照）。ペンホルダー１０を挟み込む際には、厚部３２が携帯端末２０のディスプレイの画面２１とカバー１０の間に配置されるようにする。これにより、ペンホルダー３０が携帯端末２０に装着される。
【００２２】
上記装置にあっては、入力ペン４０が携帯端末２０と共に保持できる。
更に、ペンホルダー３０の厚部３２は、携帯端末２０とカバー１０との結合部分に出来る隙間より厚い。従って、ペンホルダー３０が携帯端末２０とカバー１０の隙間から抜け落ち難い。
【００２３】
厚部３２を形成する物体が磁性体（例えば、鉄など）又はマグネットの場合、カバー１０のマグネット１１の磁力で磁化された携帯端末２０の縁２２に厚部３２が磁着される。これにより強力な装着が実現できる。この場合、磁性体又はマグネットが設けられていることになるので、結果的に、厚部３２が構成される。但し、場合によっては、厚部が無くても済む。この場合、ペンホルダー３０はカバー１０と携帯端末２０との間に挟まれなくともよい。携帯端末２０の縁２２にマグネットが設けられていてもよい。この場合も、携帯端末２０の縁２２に厚部３２が磁着される。
【００２４】
以上好ましい実施の形態をあげて本発明を説明したが、本発明は必ずしも上記実施の形態に限定されるものではなく、その技術的思想の範囲内において様々に変形し実施することが出来る。
【符号の説明】
【００２５】
１          装置
１０        カバー
１１        マグネット
１２        ヒンジ
２０        携帯端末
２１        ディスプレイの画面
２２        縁
３０        ペンホルダー
３１        ペンポケット
３２        厚部
４０        入力ペン
【図１】
2020016916.tif 000003
【図２】
2020016916.tif 000004
【図３】
2020016916.tif 000005
【図４】
2020016916.tif 000006
【図５】
2020016916.tif 000007
【図６】
2020016916.tif 000008